(57)【特許請求の範囲】
【請求項１】
被検眼を検査又は測定する検眼ユニットを有する検眼装置において、手持ち型測定ユニットとして使用可能な検眼ユニットと、据え置きタイプとして使用するときに、検眼ユニットに取付けられ検眼ユニットを支持して、検眼ユニットを上下動させる上下移動ユニットと、検眼ユニットを収納するスペースと据え置きタイプの架台として使用可能な架台部とを持つキャリングケースであって、架台部には上下移動ユニットを支持する支持部を有し上下移動ユニットに取付けられた検眼ユニットを前後左右に水平移動させる水平移動ユニットが設けられ、さらに架台部には被検眼の位置を安定させる支持ユニットを取付ける支持ユニット取り付け手段が設けられているキャリングケースと、を備えることを特徴とする検眼装置。
【発明の詳細な説明】
【０００１】
【発明の属する技術分野】
本発明は、検眼ユニットを収納するためのキャリングケース及びキャリングケースを備える検眼装置に関する。
【０００２】
【従来技術】
眼科医院や眼鏡店で使用される据え置きタイプの検眼装置は、検眼光学系を有する検眼ユニットを移動するための移動機構を一体的に内部に持ち、比較的大型である。このため、集団検診や眼鏡の外販を行う場合等、そのままキャリングケースに装置を収納して持ち運ぶのには適さない。
【０００３】
近年では簡単に運搬できる手持ちタイプ等の小型の装置も実用化されているが、手持ちでの検査又は測定は不安定となりやすく、据え置きタイプのように検眼ユニットを水平面上で移動させる架台が必要とされる。
【０００４】
【発明が解決しようとする課題】
しかし、架台を別にすると運搬時にかさばるし、これらを一緒にキャリングケースに収める場合もケース全体が大型になり、重量も増えて一人での運搬が容易でないという欠点がある。
【０００５】
また、手持ちタイプの検眼装置ではプリンタ部やＡＣ電源部を別ユニットにしているが、これらをキャリングケースに収めて搬送する場合には、収納スペースの問題の他、出し入れの手間、セットアップの手間がる。
【０００６】
本発明は、上記従来技術の問題点に鑑み、使い勝手が良く、運搬時の小型軽量化を図ることができる検眼装置及びキャリングケースを提供することを技術課題とする。
【０００７】
【課題を解決するための手段】
上記課題を解決するために、本発明は以下のような構成を備えることを特徴とする。
【０００８】
（１）  被検眼を検査又は測定する検眼ユニットを有する検眼装置において、手持ち型測定ユニットとして使用可能な検眼ユニットと、据え置きタイプとして使用するときに、検眼ユニットに取付けられ検眼ユニットを支持して、検眼ユニットを上下動させる上下移動ユニットと、検眼ユニットを収納するスペースと据え置きタイプの架台として使用可能な架台部とを持つキャリングケースであって、架台部には上下移動ユニットを支持する支持部を有し上下移動ユニットに取付けられた検眼ユニットを前後左右に水平移動させる水平移動ユニットが設けられ、さらに架台部には被検眼の位置を安定させる支持ユニットを取付ける支持ユニット取り付け手段が設けられているキャリングケースと、を備えることを特徴とする。
【００１６】
【発明の実施の形態】
以下、本発明の好ましい実施の形態を図面に基づいて説明する。図１は検眼ユニット本体及びその周辺ユニットを収納して運搬するキャリングケースを示す図であり、図２はその収納状態を示す図である。
【００１７】
キャリングケース１は収納ケース部１ａとケース蓋部１ｂとに大別され、収納ケース部１ａ側のフック金具２ａとケース蓋部１ｂ側のメス金具２ｂによって、収納ケース部１ａに対してケース蓋部１ｂを固定及び分離可能となれている。フック金具２ａとメス金具２ｂはそれぞれ対となり、複数個所に設けられている。また、収納ケース部１ａ側には持ち運びのための取っ手３が取り付けられている。
【００１８】
収納ケース部１ａには、検眼ユニット本体となる手持ち式の測定ユニット１０を収納するスペース４ａ、顔支持ユニット１１及び上下移動ユニット１２を収納するスペース４ｂ、プリンタ，ＡＣ電源部及び充電器が一体となったステーションユニット１３等の付属品を収納するスペース４ｃが、仕切りパッドによって形成されている。また、図１に示すように、収納ケース部１ａとケース蓋部１ｂの間に入れられる中パッド５には、額当て１５１を収納するスペースが設けられている。
【００１９】
図３、図４は測定ユニット１０を据え置きタイプとして使用するときの組み付け状態を示した図であり、図３は検者側から見たときの正面図、図４は側面図である。ケース蓋部１ｂは収納ケース部１ａから取外すことにより、測定ユニット１０を据え置きタイプとして使用するための架台として使用する。このときケース蓋部１ｂの内側を架台の上部とし、表側を底部として設置する。架台の底部となるケース蓋部１ｂの表側には、４つのゴム足２５０が取り付けられている。
【００２０】
図３、図４において、ケース蓋部１ｂの被検者側上部には顔支持ユニット１１が着脱自在に取り付けられる。顔支持ユニット１１は湾曲した額当て１５１と上下に移動可能な顎載せ台１５３を備え、被検眼の位置を安定させるために使用される。顎載せ台１５３は上下軸１５５の上部に固定されており、上下軸１５５は顎載せ支基１５７に上下動可能に保持されている。上下軸１５５はノブ１５９を回転操作することにより上下動される。額当て１５１は顎載せ支基１５７の上部に形成された図示なき挿入穴に挿入することにより、顎載せ支基１５７に対して着脱自在である。
【００２１】
測定ユニット１０を着脱自在に支持する上下移動ユニット１２は、図５に示すように、支持シャフト３０１に対して回転可能に保持される回転ノブ３０３と、この回転ノブ３０３と支持シャフト３０１との間で上下移動可能に保持される上下動軸３０５を備え、上下動軸３０５に形成された雄ネジ部３０６が回転ノブ３０３の内部に固定された雌ネジ部３０４と噛み合うように構成されており、回転ノブ３０３を回転することにより上下動軸３０５は支持シャフト３０１に沿って上下移動される。なお、上下動軸３０５はその側面に形成された縦溝３０５ａが支持シャフト３０１に固定されたピン３０７に係合することにより、上下移動可能で且つ回転不能とされている。
【００２２】
上下動軸３０５の上部には取付け台３１０が固定されており、測定ユニット１０はスライド支基３１３を介して取付け台３１０に着脱自在とされる。スライド支基３１３は測定ユニット１０が持つ把持部１０５の下面に形成された三脚用ネジ穴に、ビス３１５によって取り付け可能とされている。
【００２３】
測定ユニット１０は手持ちに適する筐体を持ち、その内部には眼屈折力測定と前眼部観察のための検眼光学系１００が収納されている。観察光学系１１０はアライメント指標を投影する光学系と前眼部照明光源に照明された前眼部像を撮像する撮像素子を持ち、撮像素子に撮像された前眼部像及びアライメント指標像は、ＬＣＤモニタ１０１に表示される。また、眼屈折力測定光学系１１１は、被検眼眼底に測定指標を投影する測定指標投影光学系と眼底からの指標の反射光を受光素子によって受光する受光光学系から構成される。受光素子の出力は演算制御部１２０に接続され、眼屈折力が演算される。なお、この検眼光学系１００は、例えば、本出願人による特開平１１−７００７７に記載したものが使用できるので、詳細はこれを参照されたい。
【００２４】
測定ユニット１０の下方は手で持つための把持部１０５となっており、把持部１０５の検者側には測定時に使用する各種のスイッチを持つ操作部１０６が設けられている。また、把持部１０５にはバッテリ電源１０７が内蔵されており、測定ユニット１０を単体で手持ち型として使用できる。
【００２５】
ケース蓋部１ｂは測定ユニット１０を支持する上下移動ユニット１２を水平面上で移動させる水平移動機構部２００を備える。水平移動機構部２００の構成と、顔支持ユニット１１及び上下移動ユニット１２の着脱機構を、図６、図７を基に説明する。水平移動機構部２００はケース蓋部１ｂの内側に取り付けられた底板２０１上に設けられ、底板２０１に取り付けられた２つのスライドレール２０３を介して前後方向（図７上の矢印Ａ方向）へ移動可能に保持される下スライド板２０５と、この下スライド板２０５に取り付けられた２つのスライドレール２０７を介して左右方向（図７上の矢印Ｂ方向）に移動可能に保持される上スライド板２０９と、上スライド板２０９に固定されたシャフト支基２１１とから構成される。シャフト支基２１１は上下移動ユニット１２の支持シャフト３０１を挿入する穴２１３が形成されており、この穴２１３にはピン２１５が固定されている。一方、穴２１３に挿入する支持シャフト３０１にはキー溝３０１ａが形成されいる。上下移動ユニット１２は、支持シャフト３０１のキー溝３０１ａがピン２１５に係合するように、支持シャフト３０１をシャフト支基２１１に挿入することにより、ワンタッチでケース蓋部１ｂ側に装着できると共に、支持シャフト３０１は回転不能となる。
【００２６】
また、水平移動機構部２００はストッパ機構を備える。２２１は取付け板２２３を介して底板２０１に取り付けられたボールキャッチであり、このボールキャッチ２２１に嵌合する凸部材２２５が上スライド板２０９に固着されている。ボールキャッチ２２１を構成する２つの剛球の間に凸部材２２５を嵌め込むことにより、上スライド板２０９の移動が固定される。固定を解除するときは、上下移動ユニット１２の回転ノブ３０３を持って被検者側に押すことにより、ボールキャッチ２２１から凸部材２２５が外れ、上下移動ユニット１２に搭載される測定ユニット１０の水平移動が可能になる。
【００２７】
なお、ケース蓋部１ｂの上部側には、内蔵された水平移動機構が見えないようにするための上蓋２３１が、取り付け部材２３２等を介して底板２０１に固定されている。この上蓋２３１には上下移動ユニット１２が水平移動する領域に開口２３３が形成されている（図１参照）。そして、上スライド板２０９には取付け板２３５を介してスライド蓋２３７が固定されており、スライド蓋２３７は開口２３３の目隠しとされる。
【００２８】
また、ケース蓋部１ｂの被検者側には、顎載せ支基１５７の下部を取り付けるための方形状の挿入穴を持つブロック２４１が固定されている。ブロック２４１の挿入穴の中央には取付け軸２４３が固着されている。一方、顎載せ支基１５７の下部には取付け軸２４３に挿入する軸穴１５８が形成されている。顔支持ユニット１１は、その顎載せ支基１５７の下部をブロック２４１の挿入穴に挿入するとともに、取付け軸２４３と軸穴１５８を合せることにより、ケース蓋部１ｂ側にワンタッチで装着できる。
【００２９】
以上のような構成において、搬送時にはキャリングケース１の各収納部に測定ユニット１０及びその他の分割されたユニットを収納する。集団検診や眼鏡の外販用等で安定した状態で検査を行うときは、測定ユニット１０を据え置きタイプとするための架台としてケース蓋部１ｂを使用し、ケース蓋部１ｂをテーブル等に設置し、図３、図４に示したように、顔支持ユニット１１及び上下移動ユニット１２を組み付ける。各ユニットの組み付けは、前述したように、工具を使わずにワンタッチで可能である。
【００３０】
測定時には被検者の顔を顔支持ユニット１１に当接させて被検眼を安定させ、検者は測定ユニット１０を被検眼にアライメントする。アライメント調整は、モニタ１０１に表示される前眼部像、アライメント指標及び照準マークを観察し、アライメント指標と照準マークが所定の関係になるように、回転ノブ３０３を操作する。回転ノブ３０３の前後左右の操作により、上下移動ユニット１２に搭載された測定ユニット１０は水平移動機構部２００によって前後左右に安定して移動される。また、回転ノブ３０３の回転操作により測定ユニット１０は上下に移動する。
【００３１】
こうしてアライメントが完了したら、操作部１０６の測定開始スイッチを押して測定を実行する（又は測定ユニット１０がアライメント状態を判断して自動的に測定を開始する）。測定データは接続自在な接続ケーブル２０（図３参照）を介してステーションユニット１３に送られ、プリンタ１３ａから測定結果がプリントアウトされる。測定ユニット１０への電力も接続ケーブル２０を介してステーションユニット１３のＡＣ電源部から供給される。また、ステーションユニット１３に送られた測定データは、さらに図示なき外部コンピュータや自覚検眼装置へケーブル通信又は光通信によって送信される。なお、測定ユニット１０側から測定データの送信はステーションユニット１３へ光通信で行うことも可能であり、この場合は測定ユニット１０をバッテリ駆動とすることで、接続ケーブル２０を不要とすることができる。
【００３２】
測定終了後は各ユニットをケース蓋部１ｂから取外し、収納ケース部１ａ及び中パッド５の収納スペースに収納し、ケース蓋部１ｂを閉じることで持ち運び可能となる。なお、搬送時には水平移動機構２００の凸部材２２５をボールキャッチ２２１側に嵌合させておくことで、シャフト支基２１１の移動をロックする。
【００３３】
図８は他の実施形態を示す図である。この実施形態ではプリンタ部、ＡＣ電源部及び外部装置へ測定データを転送する通信部を含むユニット３０をケース蓋部１ｂの内部に一体的に設けており、使用時の準備及び搬送時の収納の手間が少なくなる。また、キャリングケース１のコンパクト化、軽量化がより可能となると共に、製造コストを下げることができる。
【００３４】
以上説明した実施形態ではキャリングケース１の一部を検眼装置の架台として使用したが、キャリングケース１全体を使用しても良い。さらには、前述の顔支持ユニット１１及び上下移動ユニット１２を折りたたみ式とすることで、組み付け及び取外しの手間が簡略化できる。
【００３５】
【発明の効果】
以上、説明したように、本発明によれば、据え置きタイプとして安定した検眼ができ、検眼装置としての使い勝手が良くなる。また、検眼ユニット本体や他の構成ユニット、キャリングケースを含む検眼装置全体を軽量小型化できるので、運搬が容易になる。
【図面の簡単な説明】
【図１】実施形態のキャリングケースを示す図である。
【図２】キャリングケースの収納状態を示す図である。
【図３】測定ユニットを据え置きタイプとして使用するときの組み付け状態を示す図であり、検者側から見たときの正面図である。
【図４】測定ユニットを据え置きタイプとして使用するときの組み付け状態を示す側面図である。
【図５】上下移動ユニットの上下移動機構を説明する図である。
【図６】水平移動機構部、顔支持ユニット及び上下移動ユニットの着脱機構を説明する図である。
【図７】水平移動機構部、顔支持ユニット及び上下移動ユニットの着脱機構を説明する図である。
【図８】他の実施形態を示す図である。
【符号の説明】
１  キャリングケース
１ａ  収納ケース部
１ｂ  ケース蓋部
１０  測定ユニット
１１  顔支持ユニット
１２  上下移動ユニット
１００  検査光学系
２００  水平移動機構部
３１０  取付け台
２４１  ブロック
【図１】
0003742288.tif 000002
【図２】
0003742288.tif 000003
【図３】
0003742288.tif 000004
【図４】
0003742288.tif 000005
【図５】
0003742288.tif 000006
【図６】
0003742288.tif 000007
【図７】
0003742288.tif 000008
【図８】
0003742288.tif 000009